(57)【特許請求の範囲】
【請求項１】
商品ファイルを検索して求めた商品データを用いて商品登録する商品販売登録データ処理装置において、
前記商品ファイルを通常単価と特売単価とを記憶可能かつ特売単価で販売する特売品である旨の指標を設定記憶可能に形成し、前記商品ファイルへの単価変更入力があったことを判断すると、該商品ファイルを検索して該指標が設定記憶されている特売品であるか否かを判別する判別手段と、特売品であると判別された商品の特売単価を含む商品データを読出して特売品テーブルに記憶する読出記憶制御手段と、この特売品テーブルに記憶された特売商品データをデータ通信回線を介して多数の端末と接続されたサーバに出力する特売商品データ外部出力手段とを設けた、ことを特徴とする商品販売登録データ処理装置。
【請求項２】
商品ファイルを検索して求めた商品データを用いて商品登録する商品販売登録データ処理装置において、
前記商品ファイルを通常単価と特売単価とを記憶可能かつ特売単価で販売する特売品である旨の指標を設定記憶可能に形成し、前記商品ファイルへの単価変更入力があったことを判断すると、該商品ファイルを検索して該指標が設定記憶されている特売品であるか否かを判別する判別手段と、特売品であると判別された商品の特売単価を含む商品データを読出して特売品テーブルに記憶する読出記憶制御手段と、この特売品テーブルに記憶された特売商品データをデータ通信回線を介して多数の端末と接続されたサーバに出力する特売商品データ外部出力手段とを設け、
前記サーバは、特売商品データを記憶する記憶部を有し、前記商品販売登録データ処理装置から出力された特売商品データを受信したときに前記記憶部に記憶されている特売商品データを最新のデータに更新するように構成されていることを特徴とする商品販売登録データ処理装置。
【発明の詳細な説明】
【０００１】
【産業上の利用分野】
本発明は、商品ファイルを検索して求めた商品データを用いて商品登録する商品販売登録データ処理装置に関する。
【０００２】
【従来の技術】
図５において、商品販売登録データ処理装置は、複数のターミナル機１０Ａ〜１０Ｎを例えばファイルプロセッサ（ＳＰ）と呼称される上位機２０にデータ通信回線１を介して接続してなる。この上位機２０は、マスター商品ファイル２３ＭＦと変更バッファ２３Ｂとを有する。上位の商品ファイルとしてのマスター商品ファイル２３ＭＦには、図６に示す如く、商品コードごとの商品データ（商品名，単価）が設定記憶されている。キー操作等により設定される（図７のＳＴ５０のＹＥＳ，ＳＴ５１）。そして、設定送信要求が発生（有）すると、データ送信回線１を介して各ターミナル機１０へ設定送信（ダウンロード）する（ＳＴ５２のＹＥＳ，ＳＴ５３）。
【０００３】
これを受信した各ターミナル機１０は、自機内の商品ファイル１３Ｆに設定記憶する。かくして、データ入力手段（スキャナやキーボード）を用いて商品コードを入力すれば、商品ファイル１３Ｆを検索して求めた商品データを用いて商品登録することができる。
【０００４】
ところで、かかる装置では、通常単価（例えば、“３５０円”）よりも割安な特売単価（例えば、“３２０円”）で値引きサービス販売することができるように構成されている。例えば、特定日，特定時間に単価変更を入力（図７のＳＴ４０のＹＥＳ）して変更バッファ２３Ｂに特売単価を記憶する（ＳＴ４１）。全ての変更入力後（ＳＴ４２のＹＥＳ）に、変更バッファ２３Ｂから読出した変更単価（特売単価）を各ターミナル機１０（１３Ｆ）に変更送信（ダウンロード）する。しかる後に、図６に示すようにマスター商品ファイル２３ＭＦに当該変更単価を記憶（ＳＴ４５）しかつ変更バッファ２３Ｂをクリア（ＳＴ４６）する。
【０００５】
したがって、上位機２０は各ターミナル機１０Ａ〜１０Ｎの販売単価を同時的に単価変更でき、かつ各ターミナル機１０では特売単価に切替えて商品登録することができる。
【０００６】
【発明が解決しようとする課題】
ところで、特売単価での値引きサービス販売は、期間を限って実行されるので、店舗側は周知化のために大量のチラシを新聞折込配布している。しかし、コスト高となる割には、周知化の実効が低い。さらに、会員等は、一般客に優先して、特売商品情報の通知を受けたいあるいは在宅のまま知りたいとの要請が強い。
【０００７】
なお、以上の問題は、各ターミナル機１０に商品ファイル１３Ｆを設けずに上位機２０内のマスター商品ファイル２３ＭＦから直接的に商品データを求める場合あるいは上位機２０に接続されないターミナル機の場合つまり単独の電子キャッシュレジスタ内に設けた商品ファイル（１３Ｆ）から商品データを求める場合にも、共通する。
【０００８】
本発明の目的は、特売商品情報を外部へ迅速かつ正確に出力することのできる商品販売登録データ処理装置を提供することにある。
【０００９】
【課題を解決するための手段】
請求項１に係る発明は、商品ファイルを検索して求めた商品データを用いて商品登録する商品販売登録データ処理装置において、前記商品ファイルを通常単価と特売単価とを記憶可能かつ特売単価で販売する特売品である旨の指標を設定記憶可能に形成し、前記商品ファイルへの単価変更入力があったことを判断すると、該商品ファイルを検索して該指標が設定記憶されている特売品であるか否かを判別する判別手段と、特売品であると判別された商品の特売単価を含む商品データを読出して特売品テーブルに記憶する読出記憶制御手段と、この特売品テーブルに記憶された特売商品データをデータ通信回線を介して多数の端末と接続されたサーバに出力する特売商品データ外部出力手段とを設けた、ことを特徴とする商品販売登録データ処理装置である。
請求項２に係る発明は、商品ファイルを検索して求めた商品データを用いて商品登録する商品販売登録データ処理装置において、前記商品ファイルを通常単価と特売単価とを記憶可能かつ特売単価で販売する特売品である旨の指標を設定記憶可能に形成し、前記商品ファイルへの単価変更入力があったことを判断すると、該商品ファイルを検索して該指標が設定記憶されている特売品であるか否かを判別する判別手段と、特売品であると判別された商品の特売単価を含む商品データを読出して特売品テーブルに記憶する読出記憶制御手段と、この特売品テーブルに記憶された特売商品データをデータ通信回線を介して多数の端末と接続されたサーバに出力する特売商品データ外部出力手段とを設け、前記サーバは、特売商品データを記憶する記憶部を有し、前記商品販売登録データ処理装置から出力された特売商品データを受信したときに前記記憶部に記憶されている特売商品データを最新のデータに更新するように構成されていることを特徴とする商品販売登録データ処理装置である。
【００１０】
【作用】
請求項１による発明の場合、判別手段は、指令有るときや設定タイミングごとに、商品ファイルを検索して各商品に特売単価で販売する特売品である旨の指標が設定記憶されているか否かを判別する。指標が設定記憶されていると判別されると、読出記憶制御手段が特売単価を含む商品データを読出して特売品テーブルに記憶する。すると、特売商品データ出力手段が、例えば記憶変更されるごとに、特売品テーブルに記憶された特売商品データをサーバに出力する。したがって、特売商品情報をサーバでリアルタイム的に正確に知ることができる。
【００１１】
【実施例】
以下、本発明の実施例を図面を参照して説明する。
本商品販売登録データ処理装置は、図１に示す如く、基本的構成（１０，２０）が従来例（図５）の場合と同様とされているが、上位機２０内の商品ファイル（マスター商品ファイル２３ＭＦ）を通常単価と特売単価とを記憶可能かつ特売単価で販売する特売品である旨の指標を設定記憶可能に形成するとともに、判別手段（２１，２２）と，読出記憶制御手段（２１，２２）と，特売商品データ外部出力手段（２１，２２，２７）とを設け、特売商品情報を外部へ迅速かつ正確に出力可能に構成されている。
【００１２】
また、この実施例では、特売商品データ外部出力手段（２１，２２，２７）にマルチ通信機能を有するサーバー３０を接続し、特売商品情報の同時出力性を向上させるとともに上位機２０の負荷の軽減を図っている。
【００１３】
図１において、各ターミナル機（１０Ａ）は、ＣＰＵ１１，ＲＯＭ１２，ＲＡＭ１３（商品ファイル１３Ｆ），キーボード１４，スキャナ１５，表示器１６，プリンタ１７，ドロワ１８，通信用インターフェイス（Ｉ／Ｆ）１９を有し、商品ファイル１３Ｆを検索して求めた商品データを用いて商品登録することができる。この商品ファイル１３Ｆは、図２に示す上位のマスター商品ファイル２３ＭＦと同様な構成とされている。
【００１４】
上位機２０は、ＣＰＵ２１，ＲＯＭ２２，ＲＡＭ２３（マスター商品ファイル２３ＭＦ，変更バッファ２３Ｂ，特売品テーブル２３Ｔ），キーボード２４，表示器２５，通信用インターフェイス２７・２９を含み、各ターミナル機１０へデータ通信回線（例えば、ＬＡＮ）１を介して商品データをダウンロードしたり、各ターミナル機１０から売上データを回収したりすることができる。
【００１５】
ここに、マスター商品ファイル２３ＭＦは、図２に示す如く、通常単価（例えば、“３５０円”）と特売単価（例えば、“３２０円”）とを記憶可能とされ、かつ特売単価で販売する特売品である旨の指標（例えば、実行フラグ“１”）を設定記憶可能に形成されている。指標は、例えば日、時間等であってもよい。
【００１６】
さらには、図４に示す如く、指標たる特売品フラグが“１”に設定記憶されている場合に単価欄に設定記憶されている単価（“３２０円”）を特売単価とし、特売品フラグが“０”に設定記憶されている場合に単価欄に設定されている単価〔“３５０”〕を通常単価と取扱うように形成してもよい。
【００１７】
なお、このマスター商品ファイル２３ＭＦへの商品データの設定入力，各ターミナル機１０への設定送信等（図３のＳＴ３０〜３３）は従来例（図７のＳＴ５０〜５３）の場合と同じであり、かつ単価変更入力，各ターミナル機１０への変更送信等（図３のＳＴ１０〜１６）は従来例（図７のＳＴ４０〜４６）の場合と同じである。
【００１８】
また、商品データ設定入力（図３のＳＴ３０），単価変更入力（ＳＴ１０）は、キーボード２４を用いかつ表示器２５で目視確認しつつ、実行される。
【００１９】
さて、判別手段は、商品ファイル（２３ＭＦ）を検索して指標（実行フラグＦ）が設定記憶（セット“１”）されている特売品であるか否かを判別する手段で、判別制御プログラムを格納させたＲＯＭ２２とＣＰＵ２１とからなり、図３のＳＴ１７，１８で実行される。
【００２０】
また、読出記憶制御手段は、読出記憶制御プログラムを格納させたＲＯＭ２２とＣＰＵ２１とから形成され、特売品であると判別された商品の特売単価を含む商品データ（商品名等）を読出して、特売品テーブル２３Ｔに記憶する（図３のＳＴ１９）。
【００２１】
特売商品データ外部出力手段は、特売品テーブル２３Ｔに記憶された特売商品データを外部に出力する手段で、外部出力制御プログラムを格納させたＲＯＭ２２とＣＰＵ２１、通信用インターフェイス２７とから形成され、図３のＳＴ２１，２２で実行される。この実施例の場合は、サーバー３０に送信する方式とされている。
【００２２】
かかる判別手段（２１，２２），読出記憶制御手段（２１，２２）および特売商品データ外部出力手段（２１，２２，２７）は、単価変更（図３のＳＴ１０〜１６）が行われる度に、実行されるものと形成してある。通常単価を特売単価に変更する場合のみならず特売単価を元の通常単価に変更する場合にも実行されるものとされている。したがって、常に、特売単価で販売されている最新の特売商品情報を外部出力することができる。
【００２３】
サーバー３０は、ＣＰＵ３１，ＲＯＭ３２，ＲＡＭ３３，マルチタスク方式の通信回路３９から形成され、データ通信回線（例えば、ＩＳＤＮ）２を介して上位機２０（２７）に接続されている。通信回路３９には、データ通信回線（例えば、公衆電話回線）３を介して多数の端末（例えば、パーソナルコンピュータ）が接続されている。いわゆるパソコンネットワークのホストコンピュータを形成している。
【００２４】
かかる構成の実施例によれば、上位機２０側において、例えば商品ＡＡＡに関する通常単価（“３５０円”）を特売単価（“３２０円”）に単価変更（図３のＳＴ１０〜１２）すると、ＣＰＵ２１は、各ターミナル機１０Ａ〜１０Ｎにデータ通信回線１を介して、変更単価（“３２０円”）を送信（ダウンロード）しかつ図２に示す如くマスター商品ファイル２３ＭＦに変更記憶するとともに変更バッファ２３Ｔをクリアする（ＳＴ１３〜１６）。
【００２５】
この際、直ちに特売単価（“３２０円”）で値引きサービス販売を実行させようとする場合には、実行フラグ（指標）を“１”に設定記憶する（ＳＴ１５）。かくして、各ターミナル機１０内の商品ファイル１３Ｔの当該商品（“ＡＡＡ”）の単価が特売単価（“３２０円”）に変更されるので、即刻的に値引き販売サービスできる。
【００２６】
この単価変更があると、判別手段（２１，２２）は、商品ファイル（２３ＭＦ）を検索し指標（実行フラグＦ“１”）が設定記憶されている商品であるか否かを順々に判別（ＳＴ１７，ＳＴ１８のＹＥＳ）する。指標（Ｆ＝１）が設定記憶されていると判別されると、読出記憶制御手段（２１，２２）が、当該特売品データを読出して特売品テーブル２３Ｔに記憶（ＳＴ１９）する。
【００２７】
かくして、特売商品データ外部出力手段（２１，２２，２７）は、特売品テーブル２３Ｔを検出して求めた特売商品情報を外部（サーバー３０）へ出力する（ＳＴ２２）。
【００２８】
これを受信したサーバー３０は、ＲＡＭ３３内の特売商品情報を只今受信した最新の特売商品情報に更新する。したがって、在宅者は、自己のパソコンを用いて、何時でも最新で全ての特売商品情報を迅速かつ正確に知ることができる。
【００２９】
しかして、この実施例によれば、上位機２０内の商品ファイル（マスター商品ファイル２３ＭＦ）を通常単価と特売単価とを記憶可能かつ特売単価で販売する特売品である旨の指標を設定記憶可能に形成するとともに、判別手段（２１，２２）と，読出記憶制御手段（２１，２２）と，特売商品データ外部出力手段（２１，２２，２７）とを設け、特売商品情報を外部（３０）へ出力可能に構成されているので、最新の特売商品情報を迅速かつ正確に外部へ出力することのできる。よって、高コストで大量のチラシ配布をしなくとも値引きサービス販売の周知化を図れるとともに、顧客にとっても何時でも特売商品情報を正確に知ることができる。
【００３０】
また、判別手段（２１，２２），読出記憶手段（２１，２２）および特売商品データ外部出力手段（２１，２２，２７）が、単価変更手続の度に実行可能に形成されているので、特売商品情報をリアルタイム的に外部出力できる。通常単価に戻される場合にも特売単価との誤解を与える心配がない。
【００３１】
また、特売単価で販売する特売品である旨の指標を設定可能とされているので、後に特売品とする商品の特売単価を予め設定記憶させておくことができる。したがって，取扱い容易である。
【００３２】
さらに、特売商品データ外部出力手段（２１，２２，２７）にサーバー３０を接続し、マルチ通信により特売商品情報を拡散出力可能に形成しているので、会員等に優先的に周知化できかつ会員等も在宅のまま事前に買得品をチェックすることができる。
【００３３】
なお、以上の実施例では、マスター商品ファイル２３ＭＦの商品データを各ターミナル機１０の商品ファイル１３Ｆにダウンロードするものとし、各商品ファイル１３Ｆから商品データを用いて商品登録するものと構成されていたが、これに限定されない。各ターミナル機１０はマスター商品ファイル２３ＭＦから直接的に商品データを求める場合や、単独の電子キャッシュレジスタ（１０）から構成される場合は自機（１０）内の商品ファイル１３Ｆを用いて商品登録する場合でもよい。後者の場合、判別手段，読出記憶制御手段および特売商品データ外部出力手段は、当然に自機（１０）内に設けられる。
【００３４】
【発明の効果】
請求項１に係るに発明によれば、上位機内の商品ファイルを通常単価と特売単価とを記憶可能かつ特売単価で販売する特売品である旨の指標を設定記憶可能に形成するとともに、判別手段と，読出記憶制御手段と，特売商品データ外部出力手段とを設け、特売商品情報を外部へ出力可能に構成されているので、最新の特売商品情報を迅速かつ正確にサーバへ出力することができる。よって、サーバを介して高コストで大量のチラシ配布をしなくとも値引きサービス販売の周知化を図れるとともに、顧客にとっても何時でも特売商品情報を正確に知ることができる。
【図面の簡単な説明】
【図１】本発明の実施例を示す全体構成図である。
【図２】同じく、商品ファイル〔２３ＭＦ（１３Ｆ）〕を説明するための図である。
【図３】同じく、上位機側の動作を説明するためのフローチャートである。
【図４】同じく、商品ファイルの変形例を説明するための図である。
【図５】従来例の全体構成を説明するための図である。
【図６】同じく、商品ファイルを説明するための図である。
【図７】同じく、上位機側の動作を説明するためのフローチャートである。
【符号の説明】
１，２，３  データ通信回線
１０Ａ〜１０Ｎ  ターミナル機（商品販売登録データ処理装置）
１１  ＣＰＵ
１２  ＲＯＭ
１３  ＲＡＭ
１３Ｆ  商品ファイル
２０  上位機
２１  ＣＰＵ（判別手段，読出記憶制御手段，特売商品データ外部出力手段）
２２  ＲＯＭ（判別手段，読出記憶制御手段，特売商品データ外部出力手段）
２３  ＲＡＭ
２３ＭＦ  マスター商品ファイル（商品ファイル）
２３Ｔ  特売品テーブル
２３Ｂ  変更バッファ
２４  キーボード
２５  表示器
２７  通信用インターフェイス（特売商品データ外部出力手段）
３０  サーバー（外部）
３３  ＲＡＭ
３９  通信回路
Ｆ    実行フラグ（指標）
【図１】
0003636765.tif 000002
【図２】
0003636765.tif 000003
【図３】
0003636765.tif 000004
【図４】
0003636765.tif 000005
【図５】
0003636765.tif 000006
【図６】
0003636765.tif 000007
【図７】
0003636765.tif 000008